(57)【要約】【課題】標準とする第１のテープカートリッジ用の第１の記録再生装置に対して、当該第１のテープカートリッジとは非互換とされる第２のテープカートリッジが誤って装填されないようにすること。【解決手段】第２のテープカートリッジＣ２の開閉ドア１１８をロックするドアロック部材２８の切欠き端部３３ａの高さＨ３を、第１の記録再生装置Ｄ１の内部のドアロック解除部１４２のガイド面１４２ａ最下部の高さＨ４より低くする。これにより、第２のテープカートリッジＣ２のドアロック部材２８はドアロック解除部１４２の前端面に衝突してそれ以上のカートリッジの進入が規制されるので、誤挿入を防止することができる。【選択図】        図４
2005025796.tif 000002
【特許請求の範囲】
【請求項１】
磁気テープを巻装したテープリールと、前記テープリールを回転可能に収納するカートリッジケースと、前記カートリッジケースの側壁に設けられ前記磁気テープの一端を引き出すための開口部と、前記カートリッジケースに設けられる支軸に対して回動可能に取り付けられ前記開口部を開閉する開閉ドアと、前記開閉ドアを閉位置にロックするドアロック部材とを備えたテープカートリッジであり、標準とする第１のテープカートリッジ用の第１の記録再生装置に対して非互換とされる第２のテープカートリッジであって、
前記第１のテープカートリッジにおける前記ドアロック部材は、前記第１の記録再生装置のカートリッジ挿入部に設けられたドアロック解除部に摺接して前記開閉ドアのロック状態を解除する摺接部を有すると共に、前記ドアロック解除部に連接されるドア開放部との当接により前記開閉ドアが開放されるのに対し、
前記第２のテープカートリッジにおける前記ドアロック部材は、前記ドアロック解除部と衝突して前記カートリッジ挿入部への誤挿入が防止される
ことを特徴とするテープカートリッジ。
【請求項２】
前記ドアロック部材が、前記開閉ドアの基端部に形成されるドアロック収容部内に移動可能に収容されると共に、その先端部が前記カートリッジケースに設けられた凹部に係合して前記開閉ドアを閉位置にロックする機構を有してなり、
前記ドアロック部材には、前記ドアロック解除部上端のテーパー状のガイド面を乗り上げて、前記先端部と前記凹部との係合を解除する方向へ前記ドアロック部材を移動させるための端部が設けられ、
前記第１のテープカートリッジにおける前記ドアロック部材では、前記端部が前記摺接部として前記ガイド面と摺接する位置に設けられるのに対し、
前記第２のテープカートリッジにあっては、前記カートリッジ挿入部の内部において前記端部が前記ドアロック解除部と衝突する位置に設けられている
ことを特徴とする請求項１に記載のテープカートリッジ。
【請求項３】
前記第２のテープカートリッジ用の第２の記録再生装置は、前記第２のテープカートリッジが当該第２の記録再生装置のカートリッジ挿入部に挿入された際に、前記開閉ドアのドアロック状態を解除する方向へ前記ドアロック部材の先端部を押圧する操作部材を具備しており、
前記第２のテープカートリッジには、前記操作部材を前記ドアロック部材の先端部へ案内するガイド孔が設けられている
ことを特徴とする請求項２に記載のテープカートリッジ。
【請求項４】
前記第２のテープカートリッジにおける前記磁気テープの長さが、前記第１のテープカートリッジにおける前記磁気テープの長さよりも長尺とされる
ことを特徴とする請求項１に記載のテープカートリッジ。
【発明の詳細な説明】
【０００１】
【発明の属する技術分野】
本発明は、例えばコンピュータ等のバックアップとして使用されるデータストレージ用のテープカートリッジに関し、更に詳しくは、異種のドライブ装置への誤挿入を防止する手段を講じたテープカートリッジに関する。
【０００２】
【従来の技術】
例えば、コンピュータ等のバックアップとして使用されるデータストレージ用のテープカートリッジとして、図６に示す構成のものがある。まず、その全体構成について説明する。
【０００３】
図６に示す構成のテープカートリッジ（以下「第１のテープカートリッジ」ともいう。）Ｃ１は、上ハーフ１０１と下ハーフ１０２とからなるカートリッジケース１０３内に、円盤状の上フランジ１０４及び下フランジ１０５を有する単一のテープリール１０７が、コイルバネからなるリールスプリング１０８により下ハーフ１０２側へ常時付勢されて収納されている。テープリール１０７には、リーダーテープ１０９が接続された磁気テープ１０６が巻装されている。
なお、図６においてはテープカートリッジＣ１の上下が反転して示されている。
【０００４】
このテープカートリッジＣ１は、記録再生装置（以下「ドライブ装置」ともいう。）に装着されない非使用時では、リールロックスプリング１１０，１１１によって付勢された一対のリールロック部材１１２，１１３により、テープリール１０７が回転不可能とされている。すなわち、テープリール１０７は、上フランジ１０４の外周縁部に形成された歯車部１１４に、各リールロック部材１１２，１１３に形成された噛合部１１５，１１６が噛み合うことによって、回転不可能とされている。
【０００５】
また、この非使用時においては、磁気テープ１０６はテープリール１０７に完全に巻き取られた状態にあり、リーダーテープ１０９がカートリッジケース１０３の前面１００ａ寄りに設けられたフック１１７に係止されている。また、磁気テープ１０６をカートリッジケース１０３の外部へと引き出すための開口部１３４は、カートリッジケース１０３に対して回動自在に取り付けられた開閉ドア１１８によって閉塞された状態とされている。
【０００６】
一方、ドライブ装置にテープカートリッジＣ１が装着された使用時においては、ドライブ装置側のリール台が上昇することによりテープリール１０７がリールスプリング１０８の付勢力に抗してカートリッジケース１０３の中央位置へ持ち上げられると共に、ドライブ装置側のリールロック解除プラグがリールロック解除孔１３５Ａ，１３５Ｂへ挿入されてリールロック部材１１２，１１３によるロック状態が解除されてテープリール１０７が回転可能な状態とされる。
そして、開閉ドア１１８は、ドライブ装置側に設けられるドア開閉手段によって開いた状態とされる。
そして更に、ドライブ装置側に設けられたテープ引出手段によって、磁気テープ１０６がカートリッジケース１０３より外部へ引き出された状態とされる。
【０００７】
なお、このテープカートリッジＣ１においては、磁気テープ１０６への誤記録、誤消去を防止するための誤消去防止部材１１９が設けられている。この誤消去防止部材１１９は、開閉ドア１１８とは反対側のカートリッジケース１０３の背面にスライド自在に設けられている。
【０００８】
次に、開閉ドア１１８の構成の詳細について説明する。
【０００９】
開閉ドア１１８は、図７〜図９に示すように、上ハーフ１０１の内面１０１ａに形成された円柱形状をなす支持軸１２０に、トーションバネからなるドアスプリング１２１と共に取り付けられている。ドアスプリング１２１は、そのコイル部１２１ａに支持軸１２０を嵌挿させ、一方の腕部１２１ｂを隔壁１２３に係止させると共に、他方の腕部１２１ｃを開閉ドア１１８のバネ係止部１２４に係止させることによって、開閉ドア１１８を図７中矢印Ｘで示すように開口部１３４を閉塞する方向に常時付勢している。
【００１０】
開閉ドア１１８は一対の回転支持部１２５，１２６を有し、これら回転支持部１２５，１２６に設けられた軸の取付孔１２７に支持軸１２０を挿通させることにより、支持軸１２０に対して回転自在に取り付けられている。そして、この開閉ドア１１８には、ドライブ装置に装着されない非使用時において、不用意に開閉ドア１１８が開かないようにするためのドアロック部材１２８が設けられている。
【００１１】
ドアロック部材１２８は、開閉ドア１１８の基端部１１８ａに設けられたドアロック収容部１２９にコイルバネ１３０と共に収容され、このコイルバネ１３０によって、図９中矢印Ｙ方向にガイド部１５０のガイド作用を受けて上下動するように構成されている。また、このドアロック部材１２８は、図９に示したように、一側面に設けた突起１３１をドアロック収容部１２９に設けられた位置決め面１３２に係合させることで、ドアロック収容部１２９から抜け出ないようにされている。この突起１３１が上記位置決め面１３２に係合した状態においては、上記ドアロック部材１２８の先端部１２８ａはドアロック収容部１２９より突出した状態にある。ドアロック部材１２８の先端部１２８ａは、非使用時において下ハーフ１０２の内面に形成された凹部１２２（図９）に嵌合して、開閉ドア１１８の回動を阻止するように構成されている。
【００１２】
開閉ドア１１８の基端部１１８ａには幅広の溝１１８ｂが形成されており、この溝１１８ｂ内においてドアロック部材１２８の切欠き部１３３が位置している。ドアロック部材１２８は、この切欠き部１３３により形成される「摺接部」としての切欠き端部１３３ａと、後述するドライブ装置内のドアロック解除部との摺接により図９において下方側へ引き下げられる。すると、ドアロック部材１２８の先端部１２８ａと下ハーフ１０２側の凹部１２２との係合が解除され、開閉ドア１１８が回転可能となる。
【００１３】
次に、この第１のテープカートリッジＣ１を記録及び／又は再生するドライブ装置（第１の記録再生装置）について説明する。
【００１４】
図１０に示すように、ドライブ装置としては、テープカートリッジＣ１を開閉ドア１１８が設けられる前面１００ａ側から矢印ａ方向へ挿入する前面挿入タイプのドライブ装置Ｄ１が広く用いられている。この前面挿入タイプのドライブ装置Ｄ１は、フロントパネル１３７に形成されたカートリッジ挿入口１３８内にカートリッジ挿入部（空間）１３９を画成する挿入口本体１３６を備え、その一方の側壁１４０ａには開閉ドア１１８を開放するドア開閉ブロック１４１が一体形成されている（図１１）。
【００１５】
ドア開閉ブロック１４１は、図１１及び図１２に示すように、ドアロック部材１２８の切欠き端部１３３ａと摺接してドアロック部材１２８を上ハーフ１０１側へ移動させるテーパー状のガイド面１４２ａを備えたドアロック解除部１４２と、開閉ドア１１８の基端部１１８ａと当接する当接面１４３ａを有しドアロックが解除された開閉ドア１１８を開動作させるドア開放部１４３とから構成されている。
【００１６】
ここで図１４Ａ及び図１６Ａに示すように、ドアロック解除部１４２のガイド面１４２ａ最上部の高さ位置Ｈ２は、第１のテープカートリッジＣ１の底面からドアロック部材１２８の切欠き端部１３３ａまでの高さ位置Ｈ１よりも高く形成される。なお、ガイド面１４２ａの前端部１４８の高さ位置（ガイド面１４２ａ最下部の高さ位置）Ｈ４は、上記Ｈ１よりも低い位置に形成されているものとする。本例ではＨ１が１２．８ｍｍ、Ｈ２が１１．５ｍｍとされる。
【００１７】
この構成により、図１３、図１４Ａ、図１５Ａ及び図１６Ａに示したように、第１のテープカートリッジＣ１の前面１００ａを前方に向けて、当該テープカートリッジＣ１をドライブ装置Ｄ１のカートリッジ挿入口１３８に挿入すると、まず、ドアロック解除部１４２のガイド面１４２ａに対し、このテープカートリッジＣ１のドアロック部材１２８の切欠き端部１３３ａが接する。
【００１８】
そして、図１４Ｂ及び図１６Ｂに示すように、切欠き端部１３３ａはガイド面１４２ａの傾斜に沿って上方へ移動し、これによりドアロック部材１２８の先端部１２８ａと下ハーフ１０２側の凹部１２２との係合が解除されてドアロックが外れる。その後、ドア開放部１４３の当接面１４３ａに対しテープカートリッジＣ１の開放ドア１１８の基端部１１８ａが当接する（図１４Ｂ，図１５Ｂ）。
【００１９】
この状態でテープカートリッジＣ１が更に押動されると、当接面１４３ａに当接する基端部１１８ａを力点として当該開閉ドア１１８が支持軸１２０の周りに回動することにより、前方へ開放される（図１４Ｃ，図１５Ｃ）。なお、テープカートリッジＣ１は、その前面１００ａが挿入口本体１３６のストッパ壁１４０ｃに当接して、前進移動が規制されると共に位置決めされる（図１７）。
【００２０】
カートリッジ挿入部１３９へのテープカートリッジＣ１の装填が完了した後、ドライブ装置Ｄ１のレバー１４４を押し下げる（レバー１４４を支持する回動軸の周りに回動させる）ことによって、リール台（図示略）が挿入口本体１３６の底部に設けられた孔１３６ａ（図１１）を介してせり上がり、テープリール１０７のギヤ部１０７ａ（図６）に嵌合させる。これと同時に、リールロック解除プラグ（図示略）がリールロック解除孔１３５Ａ，１３５Ｂ（図６）へ挿入されて、リールロック部材１１２，１１３によるテープリール１０７の回転規制が解除される。
【００２１】
そして、ドライブ装置Ｄ１のテイクアップリーダーテープ（図示略）により、テープカートリッジＣ１のリーダーテープ１０９がテイクアップリール１４５に巻き取られ、磁気テープ１０６が磁気ヘッド１４６に摺接される。磁気テープ１０６は、例えば約４ｍ／ｓｅｃの速度で走行され、磁気ヘッド１４６によってデータが記録、再生される。
【００２２】
以上のようにして、ドライブ装置Ｄ１における第１のテープカートリッジＣ１のドア開放機構が構成される。
なお、この出願の発明に関連する先行技術文献としては、以下のものがある。
【００２３】
【特許文献１】
特開２００２−３３４５５０号公報
【００２４】
【発明が解決しようとする課題】
ところで、この種のテープカートリッジＣ１として、例えば磁気テープ１０６のテープ長Ｌ１が５５７±５ｍに規格統一されているものがある。ちなみに、図１０に示すように、当該テープカートリッジの左右方向の幅Ｘ、前後方向の奥行きＹ及び厚さＺの各寸法は、Ｘ＝１０５．６ｍｍ、Ｙ＝１０５．４ｍｍ、Ｚ＝２５．４ｍｍに規格統一されている。
【００２５】
そこで、上記のように規格統一されたテープカートリッジＣ１を標準の第１のテープカートリッジＣ１としたとき、当該テープカートリッジＣ１の幅Ｘ、奥行きＹ及び厚さＺの外形寸法を殆ど変更することなく、磁気テープのテープ長を例えば５６２ｍ以上に長くして、カートリッジの記録容量を拡大することが考えられる。
【００２６】
しかしながら、この場合、短いテープ長Ｌ１の磁気テープを使用している第１のテープカートリッジＣ１用の第１のドライブ装置Ｄ１に対し、当該第１のテープカートリッジとは互換性のない、長尺のテープ長Ｌ２の磁気テープを使用した第２のテープカートリッジを誤って装填した場合、ドライブ装置Ｄ１側で磁気テープ長を認識できず記録／再生モードに入れなかったり、ドライブ側の駆動ソフトウェアと適合せずに装填直後にエラーが表示されたままカートリッジが排出されなかったり、あるいは、たとえドライブ装置が駆動しても途中で停止する（テープ長の途中で停止する）などして、カートリッジとして使用できないという致命的な問題となってしまうことが、当然考えられる。
【００２７】
また、磁気テープ長の相違からリール重量が変化するので、これがテープ走行張力に影響を与えて記録再生動作を適正に行えなくなることがある。さらに別の観点から、ドライブ装置のスペックを越えるカートリッジが間違って装填された場合に、当該カートリッジの特性を生かしきれない事態も生じ得る。
【００２８】
従って、当該ドライブ装置に適合しないテープカートリッジは、当初から装填できないようにすることが好ましい。
【００２９】
本発明は上述の問題に鑑みてなされ、標準とする第１のテープカートリッジ用のドライブ装置に対して、例えば標準のテープ長よりも長尺の磁気テープに用いられる第２のテープカートリッジが誤って装填されることがないように、誤挿入防止手段を講じたテープカートリッジを提供することを課題とする。
【００３０】
【課題を解決するための手段】
以上の課題を解決するに当たり、本発明のテープカートリッジは、標準とする第１のテープカートリッジ用の第１の記録再生装置に対して非互換とされる第２のテープカートリッジであって、第１のテープカートリッジにおけるドアロック部材は、第１の記録再生装置のカートリッジ挿入部に設けられたドアロック解除部に摺接して開閉ドアのロック状態を解除する摺接部を有すると共に、ドアロック解除部に連接されるドア開放部との当接により開閉ドアが開放されるのに対し、第２のテープカートリッジにおけるドアロック部材は、ドアロック解除部と衝突してカートリッジ挿入部への誤挿入が防止されるようにしている。
【００３１】
本発明では、ドアロック部材が、開閉ドアの基端部に形成されるドアロック収容部内に移動可能に収容されると共に、その先端部がカートリッジケースに設けられた凹部に係合して開閉ドアを閉位置にロックする機構を有してなり、ドアロック部材には、ドアロック解除部上端のテーパー状のガイド面に乗り上げて、リールロック部材の先端部と上記凹部との係合を解除する方向へドアロック部材を移動させるための端部が設けられ、第１のテープカートリッジにおけるドアロック部材では、当該端部が上記摺接部としてドアロック解除部のガイド面と摺接する位置に設けられるのに対し、第２のテープカートリッジにあっては、カートリッジ挿入部の内部において当該端部がドアロック解除部と衝突する位置に設けられている。
【００３２】
また、本発明において、第２のテープカートリッジ用の第２の記録再生装置は、第２のテープカートリッジが当該第２の記録再生装置のカートリッジ挿入部に挿入された際に、開閉ドアのドアロック状態を解除する方向へドアロック部材の先端部を押圧する操作部材を具備しており、第２のテープカートリッジには、操作部材をドアロック部材の先端部へ案内するガイド孔が設けられている。
【００３３】
【発明の実施の形態】
以下、本発明の実施の形態について図面を参照して説明する。
【００３４】
図１は、本発明の実施の形態によるテープカートリッジの全体を示している。本実施の形態によるテープカートリッジＣ２は、標準とする第１のテープカートリッジＣ１とは非互換とされ、第１のテープカートリッジＣ１よりも長尺（５６２ｍ以上）の磁気テープを使用しており、以下、第２のテープカートリッジＣ２と称して第１のテープカートリッジＣ１と区別する。
なお、第１のテープカートリッジＣ１と対応する構成部分については特に断らない限り同一の符号を付すものとし、その詳細な説明は省略する。
【００３５】
第２のテープカートリッジＣ２は、左右方向の幅Ｘ、奥行きＹ及び厚さＺの各寸法は、Ｘ＝１０５．６ｍｍ、Ｙ＝１０５．４ｍｍ、Ｚ＝２５．４ｍｍとなっており、第１のテープカートリッジＣ１の各寸法と同一に構成されている。
【００３６】
第２のテープカートリッジＣ２では、図２に示すように、テープ引出し用の開口部１３４を開閉する開閉ドア１１８を閉位置へロックするドアロック部材２８の構成が、第１のテープカートリッジＣ１のそれと異なっている。つまり、切欠き部３３によって形成される「摺接部」としての切欠き端部３３ａが、第１のテープカートリッジＣ１用のドライブ装置（第１の記録再生装置）Ｄ１のカートリッジ挿入部１３９の一側壁１４０ａに設けられたドア開閉ブロック１４１のドアロック解除部１４２と衝突する位置に形成されている。
【００３７】
具体的には、ドアロック部材２８の切欠き端部３３ａのカートリッジケース１０３の下面からの距離（高さ）Ｈ３が、ドライブ装置Ｄ１のドアロック解除部１４２のテーパー状のガイド面１４２ａの最下部の高さ位置Ｈ４よりも小さく（低く）構成されている。
【００３８】
この構成により、第２のテープカートリッジＣ２が第１のテープカートリッジＣ１用のドライブ装置Ｄ１のカートリッジ挿入部１３９に誤って挿入された場合、図４Ａに示すようにドアロック部材２８の切欠き端部３３ａの高さＨ３がドアロック解除部１４２のガイド面１４２ａの高さＨ４より低いので、ドアロック部材２８はドアロック解除部１４２のガイド面１４２ａの前端部１４８と衝突し、開閉ドア１１８が開閉されることなく第２のテープカートリッジＣ２のそれ以上の前進が規制される（図４Ｂ）。
【００３９】
したがって、ドライブ装置Ｄ１に対して第２のテープカートリッジＣ２が誤って挿入されたとしても、ドライブ装置Ｄ１内のドア開閉ブロック１４１の位置で当該第２のテープカートリッジＣ２の前進が阻止されるので、装填を行うことが不可能となる。これにより、当該ドライブ装置Ｄ１に対して異種のテープカートリッジを挿入したことをユーザーに認識させることができる。
【００４０】
特に本実施の形態によれば、第２のテープカートリッジＣ２におけるドアロック部材２８の切欠き端部３３ａの高さ位置Ｈ３を、第１のテープカートリッジＣ１におけるドアロック部材１２８の切欠き端部１３３ａの高さ位置Ｈ１よりも小さく形成することにより、カートリッジ全体に大幅な設計変更を要することなく容易かつ低コストで実施することができる。
【００４１】
第２のテープカートリッジＣ２は、ドライブ装置Ｄ２（第２のテープカートリッジ用の第２の記録再生装置）により使用される。ドライブ装置Ｄ２は、図５Ｂに示すように、第２のテープカートリッジＣ２のドアロック状態を解除する方向へドアロック部材２８の先端部２８ａを押圧する操作部材１０を具備している。その一方、第２のテープカートリッジＣ２には、その下ハーフ１０２のドアロック部材先端部２８ａが位置する部位に対し、図２及び図５Ｂに示すように、操作部材１０をドアロック部材２８の先端部２８ａへ案内するガイド孔１５が設けられている。
【００４２】
第２のドライブ装置Ｄ２においては、第２のテープカートリッジＣ２が挿入された際、図５Ａに示すように、そのドアロック部材２８がガイド面１４２ａの前端部１４８に衝突する位置で、ガイド孔１５と挿入口本体１３６の通孔１５５とが上下方向に整列する。この後、図５Ｂに示すように操作部材１０が上昇し、ドアロック部材２８の先端部２８ａを上方へ押圧し、ドアロック部材２８の切欠き端部３３ａをＨ４以上の所定の高さ位置にまで押し上げる。そして、テープカートリッジＣ２を更に前進させ、切欠き端部３３ａをガイド面１４２ａに摺接させて開閉ドア１１８のドアロックを解除する。
【００４３】
その後は上述の第１のテープカートリッジＣ１と同様に、ドア開放部当接面１４３に開閉ドア１１８の基端部１１８ａを当接させ、ここを力点として開閉ドア１１８を開放し、テープを引き出して記録／再生動作を実行可能とする。
【００４４】
ここで、ガイド孔１５は、操作部材１０によってドアロック部材２８の先端部２８ａをＨ４以上の高さ位置に押圧保持した状態を維持しながら、ドアロック部材２８の切欠き端部３３ａがガイド面１４２ａへ接触する位置までカートリッジを移動できる大きさに形成される必要がある。図２の例では、ガイド孔を長方形状に形成したが、これに限らず、円形あるいは長孔形状等としてもよい。
【００４５】
また、操作部材１０の先端部は、例えばカートリッジ進行方向に対して交差する方向に幅方向を有する略板状とすることにより、カートリッジが移動する間、ドアロック部材先端部２８ａの押圧状態を維持することができる。
【００４６】
なお、操作部材１０の動作タイミングは、要求されるスペック等に応じて適宜設定可能であり、例えばカートリッジの進入量に連動して操作部材を機械的に操作したり、カートリッジの進入量を電気的に検出して操作部材１０の上下移動を制御する等の方法が採用可能である。
【００４７】
また、本実施の形態においては、第２のドライブ装置Ｄ２におけるドアロック解除部１４２は第１のドライブ装置Ｄ１のドアロック解除部１４２と同一の構成で同一の高さ位置に設けられているので、第２のドライブ装置Ｄ２によって標準の第１のテープカートリッジＣ１の記録／再生が可能となっている。
【００４８】
以上、本発明の実施の形態について説明したが、勿論、本発明はこれに限定されることなく、本発明の技術的思想に基づいて種々の変形が可能である。
【００４９】
例えば以上の実施の形態では、標準の第１のテープカートリッジＣ１の磁気テープ長よりも長尺に形成された磁気テープが用いられる第２のテープカートリッジＣ２について説明したが、当該第２のテープカートリッジＣ２の磁気テープが、第１のテープカートリッジＣ１の磁気テープよりもテープ長が短い場合はもちろん、テープ幅が広い（又は狭い）、テープ厚が厚い（又は薄い）、磁気記録密度が高い（又は低い）などといったテープの種類が異なる場合にも本発明は適用可能である。
【００５０】
更に、記録方式やフォーマットが第１のテープカートリッジＣ１のそれと異なる第２のテープカートリッジにも本発明は適用可能である。
【００５１】
【発明の効果】
以上述べたように、本発明のテープカートリッジによれば、標準とする第１のテープカートリッジ用の第１の記録再生装置に対して、第１のテープカートリッジとは非互換の第２のテープカートリッジを誤って装着しようとしても、第１の記録再生装置のドアロック解除部と第２のテープカートリッジのドアロック部材との衝突により第２のテープカートリッジのそれ以上の進入が規制され、これにより第１の記録再生装置に対する第２のテープカートリッジの誤挿入を防止できる。
【００５２】
また、本発明のテープカートリッジによれば、カートリッジ全体に大幅な設計変更を要することなく容易かつ低コストで実施することができる。
【図面の簡単な説明】
【図１】本発明の実施の形態による第２のテープカートリッジＣ２の全体を示す斜視図である。
【図２】第２のテープカートリッジＣ２のドアロック部材２８と、第１の記録再生装置Ｄ１の内部に設けられるドアロック解除部１４２との高さ位置関係を示す正面図である。
【図３】第２のテープカートリッジＣ２の底面図である。
【図４】第１の記録再生装置Ｄ１に対して第２のテープカートリッジＣ２が挿入された時の作用を示す要部の側断面図であり、Ａは挿入直後の状態を示し、Ｂは第２のテープカートリッジＣ２の開閉ドア１１８がドアロックを解除されずにドアロック解除部前端面１４８に当接した状態を示している。
【図５】第２の記録再生装置Ｄ２に対して第２のテープカートリッジＣ２が挿入された時の作用を示す要部の正断面図であり、Ａは挿入直後の状態を示し、Ｂはドアロックが解除された状態を示している。
【図６】第１のテープカートリッジＣ１の構成を示す分解斜視図である。
【図７】第１のテープカートリッジＣ１の開閉ドア１１８の構成を示す要部の分解斜視図である。
【図８】第１のテープカートリッジＣ１の開閉ドア１１８の構成を下ハーフ側から見た要部平面図である。
【図９】第１のテープカートリッジＣ１の開閉ドア１１８の構成を示す要部側断面図である。
【図１０】第１のテープカートリッジＣ１と第１の記録再生装置Ｄ１とを示す斜視図である。
【図１１】第１の記録再生装置Ｄ１のカートリッジ挿入部１３９の構成を示す部分破断斜視図である。
【図１２】カートリッジ挿入部１３９のドア開閉ブロック１４１の正面図である。
【図１３】第１の記録再生装置Ｄ１に対する第１のテープカートリッジＣ１の挿入態様を示す斜視図である。
【図１４】第１の記録再生装置Ｄ１に対する第１のテープカートリッジＣ１の装填作用を説明する要部の側断面図であり、Ａは挿入開始状態、Ｂはドアロック解除状態、Ｃは開閉ドア１１８の開放状態をそれぞれ示す。
【図１５】第１の記録再生装置Ｄ１に対する第１のテープカートリッジＣ１の装填作用を説明する要部の平面図であり、Ａは挿入開始状態、Ｂはドアロック解除状態、Ｃは開閉ドア１１８の開放状態をそれぞれ示す。
【図１６】第１の記録再生装置Ｄ１に対する第１のテープカートリッジＣ１の装填作用を説明する要部の正断面図であり、Ａは挿入開始状態、Ｂはドアロック解除状態をそれぞれ示す。
【図１７】第１の記録再生装置Ｄ１に対して第１のテープカートリッジＣ１の装填作用が完了した状態を示す要部の断面平面図である。
【符号の説明】
１０…操作部材、１５…ガイド孔、２８，１２８…ドアロック部材、２８ａ，１２８ａ…ドアロック部材の先端部、３３ａ，１３３ａ…切欠き端部（摺接部）、１０３…カートリッジケース、１０６…磁気テープ、１０７…テープリール、１１８…開閉ドア、１１８ａ…基端部、１２０…支持軸、１２２…凹部、１２９…ドアロック収容部、１３４…開口部、１４１…ドア開閉ブロック、１４２…ドアロック解除部、１４２ａ…ガイド面、１４３…ドア開放部、１４３ａ…当接面、１４８…ドアロック解除部（又はガイド面）の前端面、Ｃ１…第１のテープカートリッジ、Ｃ２…第２のテープカートリッジ、Ｄ１…第１のドライブ装置（記録再生装置）、Ｄ２…第２のドライブ装置（記録再生装置）。
【図１】
2005025796.tif 000003
【図２】
2005025796.tif 000004
【図３】
2005025796.tif 000005
【図４】
2005025796.tif 000006
【図５】
2005025796.tif 000007
【図６】
2005025796.tif 000008
【図７】
2005025796.tif 000009
【図８】
2005025796.tif 000010
【図９】
2005025796.tif 000011
【図１０】
2005025796.tif 000012
【図１１】
2005025796.tif 000013
【図１２】
2005025796.tif 000014
【図１３】
2005025796.tif 000015
【図１４】
2005025796.tif 000016
【図１５】
2005025796.tif 000017
【図１６】
2005025796.tif 000018
【図１７】
2005025796.tif 000019